(57)【要約】トルマリンの効能を効率よく、かつ簡便に利用することを可能にしたエネルギー放射装置を提供するため、トルマリンとセラミックなどのマイナスイオン鉱石とを混合して特殊鉱石層１４を形成し、この特殊鉱石層１４の上に所定の色の色料により形成された色料層１６を積層する。色料層１６は複数層積層してもよし、また、特殊鉱石層１４と色料層１６との間や色料層１６同士の間に、金、銀、チタンまたは炭素を含む中間層１８を形成するようにしてもよい。
2003086616.tif 000002
【特許請求の範囲】
【請求項１】
トルマリンとマイナスイオン鉱石とを混合して形成された特殊鉱石層と、
前記特殊鉱石層に積層された所定の色の色料により形成された色料層と
を有するエネルギー放射装置。
【請求項２】
トルマリンとマイナスイオン鉱石とを混合して形成された特殊鉱石層と、
前記特殊鉱石層に積層された所定の色の色料により形成された複数の色料層と
を有するエネルギー放射装置。
【請求項３】
請求項２に記載のエネルギー放射装置において、
前記複数の色料層は、互いに異なる色の色料により形成されたものである
エネルギー放射装置。
【請求項４】
請求項１、請求項２または請求項３のいずれか１項に記載のエネルギー放射装置において、
前記特殊鉱石層と前記色料層との間に、金、銀、チタンまたは炭素を含む中間層を形成した
エネルギー放射装置。
【請求項５】
請求項２、請求項３または請求項４のいずれか１項に記載のエネルギー放射装置において、
前記複数の色料層間の少なくともいずれか１つの間に、金、銀、チタンまたは炭素を含む中間層を形成した
エネルギー放射装置。
【請求項６】
請求項１、請求項２、請求項３、請求項４または請求項５のいずれか１項に記載のエネルギー放射装置により壁面の一部あるいは全部を構成した中空体と、
前記中空体の内部に配置した宇宙エネルギー放射装置とを
有するエネルギー放射装置を備えたエネルギー照射装置。
【請求項７】
請求項６に記載のエネルギー放射装置を備えたエネルギー照射装置において、
前記壁面の一部に銅板を配置した
エネルギー放射装置を備えたエネルギー照射装置。
【請求項８】
請求項６または請求項７のいずれか１項に記載のエネルギー放射装置を備えたエネルギー照射装置において、
前記壁面の一部にアルミニウム板を配置した
エネルギー放射装置を備えたエネルギー照射装置。
【請求項９】
請求項７に記載のエネルギー放射装置を備えたエネルギー照射装置において、
前記銅板の外方側にアルミニウム板を被覆した
エネルギー放射装置を備えたエネルギー照射装置。
【請求項１０】
請求項６、請求項７、請求項８または請求項９のいずれか１項に記載のエネルギー放射装置を備えたエネルギー照射装置において、
前記宇宙エネルギー放射装置は、左右対称逆巻コイルである
エネルギー放射装置を備えたエネルギー照射装置。
【請求項１１】
請求項６、請求項７、請求項８または請求項９のいずれか１項に記載のエネルギー放射装置を備えたエネルギー照射装置において、
前記宇宙エネルギー放射装置は、左右相違逆巻コイルである
エネルギー放射装置を備えたエネルギー照射装置。
【請求項１２】
請求項６、請求項７、請求項８または請求項９のいずれか１項に記載のエネルギー放射装置を備えたエネルギー照射装置において、
前記宇宙エネルギー放射装置は、ＮＳ磁石とＳＮ磁石とを反発させるように配置して構成した
エネルギー放射装置を備えたエネルギー照射装置。
【発明の詳細な説明】
技術分野
本発明は、エネルギー放射装置およびそれを備えたエネルギー照射装置に関し、さらに詳細には、トルマリンなどから放射される電磁波やマイナスイオンなどの振動エネルギーを利用したエネルギー放射装置に関する。
背景技術
従来より、トルマリンからは様々な波長の電磁波やマイナスイオンなどの振動エネルギーが放射されており、こうしたトルマリンの振動エネルギーの放射による各種の効能が知られている。
即ち、トルマリンの効能としては、例えば、生体内におけるコレステロールの凝固や血管への付着防止効果、体液を弱アルカリ性に調整する効果、遠赤外線を発生する効果、水のミネラル化、水の弱アルカリ化、水の活性化、洗浄効果、浴槽や洗面器などを汚れにくくする効果、脱臭・消臭効果、抗菌効果、鮮度保持効果などが知られている。
このため、こうしたトルマリンの効能を効率よく、かつ簡便に利用することのできる手法の提案が望まれていた。
本発明は、上記したような要望に鑑みてなされたものであり、その目的とするところは、トルマリンの効能を効率よく、かつ簡便に利用することを可能にしたエネルギー放射装置およびそれを備えたエネルギー照射装置を提供しようとするものである。
発明の開示
上記目的を達成するために、本発明によるエネルギー放射装置は、トルマリンとマイナスイオン鉱石とを混合して形成された特殊鉱石層と、上記特殊鉱石層に積層された所定の色の色料により形成された色料層とを有するようにしたものである。
また、本発明によるエネルギー放射装置は、トルマリンとマイナスイオン鉱石とを混合して形成された特殊鉱石層と、上記特殊鉱石層に積層された所定の色の色料により形成された複数の色料層とを有するようにしたものである。
上記した本発明によれば、太陽エネルギーを含む宇宙エネルギーのような振動エネルギー、換言すれば、太陽エネルギーを含む宇宙エネルギーの波長帯の電磁波などの振動エネルギーを受けて、振動エネルギーとして太陽エネルギーを含む宇宙エネルギーを効率良く発生する特殊鉱石層を構成するトルマリンおよびマイナスイオン鉱石ならびに色料層を構成する色料の色の作用によって、色料の色に応じた波長（遠赤外線からＸ線の波長帯の波長）の微弱な電磁波やマイナスイオンなどの振動エネルギー（以下、本明細書においては、「色料の色に応じた波長の微弱な電磁波やマイナスイオンなどの振動エネルギー」を「光量子エネルギー」または「カラーエネルギー」と適宜に称する。）が放射される（図１参照）。
なお、光量子エネルギーは、全ての物質に微弱なエネルギーを放出し、微弱でありながら密度の高い質量があり、しかも極めて弱い振動エネルギーを有している。
ここで、図２に示す光量子エネルギーと電磁波との区分を示す図を参照しながら説明すると（なお、「光子の波長＝量子の場と配位子エネルギーの場」である。）、光量子エネルギーはミクロの世界に到達し１兆分の１（原子核）に対して作用する。これは、光量子エネルギーが放射されると、量子の場の吸収、反射、透過と、配位子エネルギーの場の色の基底状態と励起状態との選択吸収とが、合体化されるからである。
そして、上記複数の色料層は、互いに異なる色の色料により形成することができる。
また、上記特殊鉱石層と上記色料層との間に金、銀、チタンまたは炭素等を含む中間層を形成してもよいし（図３参照）、上記複数の色料層間の少なくともいずれか１つの間に金、銀、チタンまたは炭素等を含む中間層を形成してもよい。
このように金、銀、チタンまたは炭素等を含む中間層を形成すると、中間層が触媒機能を果たし、本発明によるエネルギー放射装置から放射されるカラーエネルギーが増幅される。
また、色料層の色を調整することにより、色料層から放射されるカラーエネルギーの波長を変化させることができ、カラーエネルギーを照射する対象物の使用用途に合わすことができる。
また、本発明によるエネルギー放射装置を備えたエネルギー照射装置は、本発明によるエネルギー放射装置により壁面の一部あるいは全部を構成した中空体と、上記中空体の内部に配置した宇宙エネルギー放射装置とを有するようにしたものである。
ここで、上記壁面の一部に銅板を配置するようにしてもよいし、上記壁面の一部にアルミニウム板を配置するようにしてもよい。
また、上記壁面の一部に銅板を配置した場合には、上記銅板の外方側にアルミニウム板を被覆するようにしてもよい。
さらに、上記宇宙エネルギー放射装置は、左右対称逆巻コイルや、左右相違逆巻コイルや、ＮＳ磁石とＳＮ磁石とを反発させるように配置することにより構成するようにしてもよい。
発明を実施するための最良の形態
以下、添付の図面を参照しながら、本発明によるエネルギー放射装置およびそれを備えたエネルギー照射装置の実施の形態の一例を詳細に説明する。
なお、以下の説明においては、同一または相当する構成については、それぞれ共通の符号を付して示すこととし、重複する説明は省略するものとする。
まず、図４（ａ）には、本発明によるエネルギー放射装置の実施の形態の一例の概念構成説明図が示されている。
このエネルギー放射装置１０は、基板１２上に特殊鉱石層１４を形成し、特殊鉱石層１４の上面に色料層１６を形成したものである。
ここで、特殊鉱石層１４は、トルマリンとセラミックスなどのマイナスイオン鉱石とを混合したものより形成された層である。トルマリンとマイナスイオン鉱石との混合の割合は、トルマリンとマイナスイオン鉱石とを同量としてもよいが、必ずしも両者を同量とする必要はなく、各種の用途に応じて一方を他方よりも多くするなどのように、両者の混合割合を適宜に変更するようにしてもよい。例えば、後述するように、水のミネラル化、水の弱アルカリ化あるいは水の活性化のために、エネルギー放射装置１０より放射されるカラーエネルギーを水に対して照射する場合には、マイナスイオン鉱石をトルマリンよりも多く用い、また、自動車のエンジンの排気ガスの浄化のために、エネルギー放射装置１０より放射されるカラーエネルギーを自動車のエンジンに吸気されるエアーに対して照射する場合には、トルマリンをマイナスイオン鉱石よりも多く用いることが好ましい。
また、トルマリンやマイナスイオン鉱石は、このエネルギー放射装置１０が使用される地域を中心として、東方、西方、南方および北方の東西南北の各地域から産出された鉱石を混合して用いることが望ましい。なお、上記した東西南北の各地域は、日本国内における東西南北の各地域に限られることなしに、世界規模での東西南北の各地域も含まれる。即ち、エネルギー放射装置１０が使用される地域が日本であるならば、例えば、東方として北米西海岸地域、西方として南欧地域、南方として大洋州地域、北方としてシベリア地域などから産出したトルマリンやマイナスイオン鉱石を用いることができる。
トルマリンとマイナスイオン鉱石とにより特殊鉱石層１４を形成するにあたっては、まず、トルマリンならびにマイナスイオン鉱石を粉砕して粉粒にする。次ぎに、これらの粉粒を適宜の混合割合で混合し、それから高温（例えば、８６０℃〜１２５０℃である。）で焼結して固めることにより形成する。
一方、色料層１６は、適宜の色の色料（本明細書において「色料」とは、所定の色彩を付された媒体を意味する。）よりなる層である。ここで、色料としては、例えば、色紙や色つきのプラスチックシートなどの適宜の材料からなるものを用いることができる。
なお、このエネルギー放射装置１０の色料層１６を構成する色料の色は単一色により形成されているものとするが、複数色が混在するように形成された色料により色料層１６を構成してもよい。
また、色料の色としては、赤、橙、黄、緑、青、藍、紫、白あるいは黒などの各種の色を適宜に用いることができる。エネルギー放射装置１０により放射されるカラーエネルギーにより、色料層１６を構成する色料の色に応じた効能を得ることができる。なお、色料層１６を構成する色料の色に応じて得られるエネルギー放射装置１０により放射されるカラーエネルギーによって得られる効能については、図６などを参照しながら後に詳述する。
以上の構成において、エネルギー放射装置１０の上面からは、太陽エネルギーを含む宇宙エネルギーのような振動エネルギー、換言すれば、太陽エネルギーを含む宇宙エネルギーの波長帯の電磁波などの振動エネルギーを受けて、振動エネルギーとして太陽エネルギーを含む宇宙エネルギーを効率良く発生する特殊鉱石層１４を構成するトルマリンおよびマイナスイオン鉱石ならびに色料層１６を構成する色料の色の作用によって、色料の色に応じた波長（遠赤外線からＸ線の波長帯の波長）の微弱な電磁波やマイナスイオンなどの振動エネルギーたるカラーエネルギーが放射される。なお、図４（ａ）（ｂ）（ｃ）ならびに図５（ａ）（ｂ）（ｃ）においては、符号Ｅにより概念的にカラーエネルギーの放射を表している。
こうしてエネルギー放射装置１０から放射されたカラーエネルギーを対象物に対して照射することにより、対象物が植物であるならば植物の活性化を図ることができ、また、対象物が動物であるならば動物の生体活性化を図ることができ、さらには、化学物質の原子化、水のミネラル化、水の弱アルカリ化あるいは水の活性化や自動車のエンジンの排気ガスの浄化などが可能となる。
ここで、図６には、カラーエネルギーの波長帯と感情・五臓との関係、即ち、色料層１４を構成する色料の色に応じたカラーエネルギーの波長帯と、カラーエネルギーが照射される対象物が人体の場合におけるカラーエネルギーによって活性化される対象が示されている。
図６に示されているように、例えば、色料層１６を構成する色料の色が赤の場合には、エネルギー放射装置１０から照射されるカラーエネルギーを人体に照射することにより、人間の創造性、歓喜、活力を促進し、視覚を活性化し、心臓の働きを活性化することができる。
また、図７には、特定色・特定腺の影響と光量子エネルギーの波長との関係を表す図が示されているが、図７に示されているように、人間の体は色と腺分泌に分けられて、頭の上から仙骨にいたるまで虹の色（７色）により構成されている。カラーエネルギーをそれぞれの部分に色別に照射することにより、細胞を活性化させることができる。
ところで、色料層１６を構成するそれぞれの色料の元素は、例えば、酸素、水素、炭素、リジウム、カルシウム、バリウム、マンガン、鉄、クロム、ニッケル、銅、亜鉛、スロテウム、カドミウム、コバルト、マンガン、アルミニウム、チタン、ルビジウムなどを含み、滋養あるいは栄養のひとつとなっていると認められている。
色料層１６を構成するそれぞれの色料は反射したとき色彩となり、それぞれの波長（４３００オングストローム以上の波長帯）をもって放射される。一方、対象物となる人体や動物などの全ての物質もエネルギーを放射している。
そして、特殊鉱石層１４により発生された振動エネルギーが色料層１６を通過することによって、当該色料層１６を構成する色料の色に応じてカラーエネルギーが放射されることになる。また、特殊鉱石層１４により発生された波動エネルギーが色料層１６を通過することによって、色料の補正エネルギーを増加させることができる。
ここで、有機物や無機物などの全ての物質は、周波数全域の電磁波を感知する。このことは、万物が光の電磁気と光を構成する色に反応を示すことを意味している。例えば、植物は光合成を行う上で、光を必要としている。葉を通して入ってきた光エネルギーを使って、空気から取り入れた二酸化炭素と土から吸い上げた水および微量元素を結合し、自らの成長や繁殖に必要な成分を作り出している。太陽の光エネルギーは、植物の栄養分を合成するためになくてはならないものである。
動物も太陽の光エネルギーがあたると、直接身体に影響を受ける。即ち、人体組織に化学的、物理的変化をもたらす。つまり、図８のカラーエネルギーの認識される経路に示すように、カラーエネルギーを人間、動物がそれらを目でとらえた場合に網膜を刺激し、視床下部を通じて細胞に伝送され電子、分子、原子核を刺激する。
また、図９の光量子エネルギーの対象物への作用を表す図に示すように、人間や動物は皮膚からも光量子エネルギーを受けることができ、光量子エネルギーを目でとらえた場合と同様に、光量子エネルギーは細胞に伝送されて分子や原子核を刺激する。
即ち、光量子エネルギーは、陽子に直接作用を及ぼし（図９の▲１▼）、陽子のスピン運動を変化させる（図９の▲２▼）。そうすると、電子の回転が変化して、原子の物性が変化する（図９の▲３▼）。さらに、分子間の原子の結合状態が変化し、また、分子と分子との結合も変化する（図９の▲４▼）。
こうしたことにより、
１．有機物の細胞分子の活性化（細胞本来の姿に戻す）
２．原子間の結合の促進
３．分子間の切断（分解）
４．界面の活性化
５．電荷の中和
などの作用が生じる。
このため、エネルギー放射装置１０から放射されたカラーエネルギーを対象物に照射することによって、対象物の弱った細胞を元に戻す働きがあると考えられる。例えば、エネルギー放射装置１０から放射されたカラーエネルギーを対象物に照射すると、マイナスイオンの増加、血流の改善、免疫力の向上、健康の維持、病気の予防や回復、集中力の向上などを図ることができる。
以下に、エネルギー放射装置１０から放射されたカラーエネルギーを対象物に照射することによって、カラーエネルギーが対象物に及ぼす影響について具体的に説明する。
（１）エネルギー放射装置１０から放射されたカラーエネルギーを植物に対して照射すると、植物の基本組織細胞を活性化することができ、それによって病害虫耐性の向上、肥料吸収力向上が図られ、植物本来の姿へ移行することができる。
（２）エネルギー放射装置１０から放射されたカラーエネルギーを食品に対して照射すると、食品の鮮度保持や発酵の促進が図られ、日持ちの向上、品質向上、生産性向上につながる。
（３）水は、身体または細胞や組織に栄養やエネルギーを運ぶ媒体として機能している。従って、エネルギー放射装置１０から放射されたカラーエネルギーを水に対して照射し、このカラーエネルギーを照射された水（以下、「カラーエネルギー水」と適宜に称する。）を人や動物が飲むと、その人や動物の血液がサラサラになって血液の循環がスムーズになり、弱った細胞とその周辺に作用して細胞の活性化を助ける。
また、カラーエネルギー水は、普通の水と比較すると約３０ｐｐｍも重水濃度を減少する。従って、こうしたカラーエネルギー水を服用することは、ガン細胞の増殖を抑制し、また、ガン細胞を壊死させることにつながる。この点について、以下に詳細に説明する。
まず、水には軽水と重水とがある（なお、その他の水の種類としては、硬水、永久硬水、一次硬水、蒸留水、純水がある）。
一般に、水分子は、水素原子２個と酸素原子１個とが互いの電子を出し合った共有結合をしている。しかし、こうした水分子は１分子で存在するだけではなく、非常にたくさん集まって体積を保ち水を形成している。また、水分子はたえず移動し水素結合（図１０参照）を繰り返し、くっついたり離れたりして一つのクラスターと称される集団を形成している（図１１参照）。
即ち、水は水の１分子が単独で存在するだけではなく、水素結合で構造化されたクラスターを形成しており、クラスターが小さい水は美味しいと言われている。
ここで、一般に水といえば、質量数が１の水素原子が２個と質量数が１６の酸素原子が１個とから構成されている質量量１８の水分子のことを指し、これを軽水という。
ところで、地球上の天然水（軽水＝普通の水）には、質量数が１８より大きい重水の水分子が１００万分の１５０個（１５０ｐｐｍ）含まれている。この「軽水の中に重水がある」ということは、１９３２年にユーレイによって発見されたが、その後にハンガリーのシャムヤイ博士（理学博士、分子生物学者）は、重水素を減少させた軽水がガン細胞を壊死させることを発見した。シャムヤイ博士の「Ｌｅｔ’ｓ  ｄｅｆｅａｔ  ｃａｎｃｅｒ！」と題する論文の中には、軽水の中の重水濃度を１００万分の１４０個（１４０ｐｐｍ）に下げただけで細胞に大きな変化がおきる旨が示されている。
本願発明者の実験によれば、カラーエネルギー水の重水濃度は１００万分の１２１個（１２１ｐｐｍ）に過ぎず、普通の水に比較して重水濃度が約３０ｐｐｍも減少されている。
このことは、カラーエネルギー水の服用の効果として、ガン細胞の増殖を抑制し、また、壊死させることにつながるといえます。同時に、カラーエネルギー水を飲むことによって、人体の健康増進免疫回復がされ、常に健康体で生きられると考えられる。
なお、重水が飲料水として使用できない理由は、体の中で酸素（生体内で触媒として作用する高分子物質）の働きを阻害し、生理機能に著しいダメージを与えるからである。
（４）図１２に示すように、エネルギー放射装置１０を自動車のエンジン１００とエアクリーナー１０２との間の吸気エアーライン１０４に装着し、エネルギー放射装置１０から放射されたカラーエネルギーＥを自動車のエンジン１００に吸気されるエアーに照射した場合には、エンジン１００における燃焼速度が増大するために、エンジンからの排気ガス中のＮｏｘ、ＰＭなどが大幅に軽減され、燃費も向上する。図１３乃至図１８には、エネルギー放射装置１０を吸気エアーライン１０４に装着した自動車の走行実験のレポートが示されている。このレポートからも、エネルギー放射装置１０を吸気エアーライン１０４に装着することにより、エンジンからの排気ガス中のＮｏｘ、ＰＭなどが大幅に軽減し、燃費も向上していることがわかる。
なお、エネルギー放射装置１０は、吸気エアーライン１０４のエンジン１００の近傍に装着することが好ましい。
また、図１２における符号１０６はアルミ薄板などにより構成される反射板であり、エネルギー放射装置１０から放射されたカラーエネルギーＥを反射して、カラーエネルギーＥを吸気エアーライン１０４の外部へ漏らすことなく吸気エアーライン１０４に対し照射することを可能にしている。
なお、図１２における符号１０６を反射板としては構成せずに、単なる防塵カバーとして構成した場合には、例えば、図１９に示すように、エネルギー放射装置１０と対向するようにして、アルミ薄板などにより構成される反射板１０８を吸気エアーライン１０４に装着する。そして、この反射板１０８により、エネルギー放射装置１０から放射されたカラーエネルギーＥを反射して、カラーエネルギーＥを吸気エアーライン１０４の外部へ漏らすことなく吸気エアーライン１０４に対し照射することを可能にしてもよい。
（５）エネルギー放射装置１０から放射されたカラーエネルギーを臭い物質に対して照射すると、臭い発生を消滅することができ、脱臭、消臭の効果がある。
（６）エネルギー放射装置１０から放射されたカラーエネルギーを楽器や音楽奏でられている空間に照射すると、通常は耳に聞き取れない和声音程や各音高の音を活性化させ、その活性化された音に接した人の五感の働きや、植物の生命調和が保持される。例えば、図２０のカラーエネルギーによる音の調和旋律に示すように、エネルギー放射装置１０の色料層１４の色が金色の場合には五線譜においてト音記号により示される楽曲の和声音程を活性化させ、エネルギー放射装置１０の色料層１４の色が赤色の場合には五線譜における下第１線にあるドの音高の音を活性化させ、エネルギー放射装置１０の色料層１４の色が青色の場合には五線譜における第２線にあるソの音高の音を活性化させ、エネルギー放射装置１０の色料層１４の色が黄色の場合には五線譜における第２間にあるラの音高の音を活性化させ、エネルギー放射装置１０の色料層１４の色が白色の場合には五線譜における第２間にあるラより高い音高の音を活性化させ、エネルギー放射装置１０の色料層１４の色が黒色の場合には五線譜における下第１線にあるドより低い音高の音を活性化させる。
ここで、図２１には、カラーエネルギーの対象物別使用物質効果表の図表が示されており、カラーエネルギーの照射対象物毎に、各照射対象物にカラーエネルギーを作用させる、換言すれば、各照射対象物を活性化させるのに適した色料層１６と特殊鉱石層１４との関係が示されている。
次に、添付の図面を参照しながら、本発明によるエネルギー放射装置を備えたエネルギー照射装置の実施の形態の一例を詳細に説明する。
図２２（ａ）（ｂ）には、本発明の実施の形態の一例によるエネルギー放射装置を備えたエネルギー照射装置（以下、単に「エネルギー照射装置」と適宜に称する。）２００が示されている。なお、図２２（ａ）は一部を破断した斜視図であり、図２２（ｂ）は図２２（ａ）のＡ−Ａ線による断面図である。
このエネルギー照射装置２００は、外形が略長方体状の中空の箱状体であり、底面２０２と４枚の側壁２０４とはエネルギー放射装置１０により構成されている。なお、エネルギー放射装置１０により底面２０２と４枚の側壁２０４とを形成する際には、色料層１６がエネルギー照射装置２００の内部Ｂ側に位置するように設定されている。
また、エネルギー照射装置２００の上面側は銅板２０６により遮蔽されており、その銅板２０６の上面、即ち、外方側にはアルミニウム板２０８が被覆されている。
ここで、銅板２０６はカラーエネルギーを吸収するように作用し、アルミニウム板２０８はカラーエネルギーを反射するように作用する。
そして、エネルギー照射装置２００の内部Ｂにおいて、底面２０２上に宇宙エネルギー放射装置２１０が配置されている。
この宇宙エネルギー放射装置２１０は、例えば、図２３（ａ）または図２３（ｂ）に示す左右対称逆巻コイル３００によって構成することができ、左右対称逆巻コイル３００によって宇宙エネルギーを発生して放出することができる。
図２３（ａ）に示すように左右対称逆巻コイル３００に交流を印加することによって、あるいは、図２３（ｂ）に示すように左右対称逆巻コイル３００に直流を印加することによって、磁場も発生せず、また、電磁波も発生させないで、宇宙エネルギーを発生して放出することができる。左右対称逆巻コイル３００により放出される宇宙エネルギーは、素粒子より超微粒子である波長が１０−４〜１０−１８ｍの宇宙エネルギーである。
また、宇宙エネルギー放射装置２１０は、例えば、図２４（ａ）または図２４（ｂ）に示す左右相違逆巻コイル４００によっても構成することができ、左右相違逆巻コイル４００によって宇宙エネルギーを発生して放出することができる。
図２４（ａ）に示すように左右相違逆巻コイル４００に交流を印加することによって、あるいは、図２４（ｂ）に示すように左右相違逆巻コイル４００に直流を印加することによって、磁場も発生せず、また、電磁波も発生させないで、宇宙エネルギーを発生して放出することができる。左右相違逆巻コイル４００により放出される宇宙エネルギーは、素粒子より超微粒子である波長が１０４〜１０−１８ｍの宇宙エネルギーである。
なお、左右相違逆巻コイル４００においては、左右のコイルの巻数を変化させることによって、宇宙エネルギーの波長を変化させることができる。
さらに、宇宙エネルギー放射装置２１０は、例えば、図２５に示すように、ＮＳ磁石５００とＳＮ磁石６００とを反発させるように配置して構成することができ、これにより、磁場や電磁波の発生をおさえ、宇宙エネルギーを発生して放出することができる。
この図２５に示す構成の場合には、放出される宇宙エネルギーは、素粒子より超微粒子である波長が１０−４〜１０−１８ｍの宇宙エネルギーである。
以上の構成において、エネルギー照射装置２００の内部Ｂに、容器に入れた水などの地球にある全ての対象物のいずれかを配置し、宇宙エネルギー放射装置２１０により宇宙エネルギーを放出すると、それに伴い上記した作用よりカラーエネルギーがエネルギー照射装置２００の内部Ｂに照射され、カラーエネルギーがエネルギー照射装置２００の内部Ｂに配置された対象物に作用する。
この際に、銅板２０６はカラーエネルギーを吸収し、アルミニウム板２０８はカラーエネルギーを反射するので、エネルギー照射装置２００の内部Ｂに配置された対象物に効率よくカラーエネルギーが照射され、当該対象物を急速に活性化させることができる。
なお、底面２０２と４枚の側壁２０４とを構成するエネルギー放射装置１０の色料層の色を適宜に組み合わせることによって、エネルギー照射装置２００を種々の用途に使用することができる。
なお、上記した実施の形態は、以下に示す（１）乃至（８）のように変形してもよい。
（１）第１の変形例
上記した実施の形態においては、基板１２上に特殊鉱石層１４を積層し、さらにその上に色料層１６を積層するようにしたが、これに限られるものではないことは勿論であり、基板１２を用いることなしに、単に特殊鉱石層１２上に色料層１６を積層するようにしてもよい。要するように、本発明によるエネルギー放射装置は、特殊鉱石層と色料層とが積層されていればよい。
（２）第２の変形例
上記した実施の形態においては、基板１２の全面にわたって特殊鉱石層１４が積層されるとともに、特殊鉱石層１４の全面にわたって色料層１６が積層されるようにしたが、これに限られるものではないことは勿論であり、基板１２の上面の一部にのみ特殊鉱石層１４が積層されてもよいし、特殊鉱石層１４の上面の一部にのみ色料層１６が積層されてもよい。要するに、本発明によるエネルギー放射装置は、特殊鉱石層と色料層とが一部の領域においても積層されていればよい。
（３）第３の変形例
上記した実施の形態においては、基板１２上に特殊鉱石層１４を積層し、さらにその上に色料層１６を一層のみ積層するようにしたが、これに限られるものではないことは勿論である。例えば、図４（ｂ）に示すように、同色の色料よりなる複数層の色料層１６を積層するようにしてもよい。また、図４（ｃ）に示すように、それぞれ異なる色の色料よりなる複数層の色料層１６，１６’，１６’’，１６’’’を積層するようにしてもよい。
（４）第４の変形例
上記した実施の形態ならびに上記した第３の変形例においては、特殊鉱石層１４の上に色料層１６を直接積層したり（図４（ａ）を参照する。）、色料層１６の上に色料層１６を直接積層したり（図４（ｂ）を参照する。）、あるいはそれぞれ異なる色の色料よりなる複数層の色料層１６，１６’，１６’’，１６’’’をそれぞれ直接積層した（図４（ｃ）を参照する。）。しかしながら、これに限られるものではないことは勿論である。例えば、特殊鉱石層１４の上に金、銀、チタンまたは炭素などを含む中間層１８を積層して当該中間層１８の上に色料層１６を積層したり（図４（ａ）に対応する図５（ａ）を参照する。）、色料層１６の上に金やチタンなどを含む中間層１８を積層して当該中間層１８の上に色料層１６を積層したり（図４（ｂ）に対応する図５（ｂ）を参照する。）、あるいはそれぞれ異なる色の色料よりなる複数層の色料層１６，１６’，１６’’，１６’’’の間にそれぞれ金、銀、チタンまたは炭素などを含む中間層１８をそれぞれ挟み込むようにして積層してもよい（図４（ｃ）に対応する図５（ｃ）を参照する。）。
ここで、金、銀、チタンまたは炭素などを含む中間層１８は、例えば、金色や銀色の色紙により構成してもよいし、白色の紙に微少の金箔や銀箔やチタン片や炭素片を包み込むようにして構成してもよい。
このように金、銀、チタンまたは炭素などを含む中間層１８を設けることにより、本発明によるエネルギー放射装置から放射されるカラーエネルギーが増幅される。
なお、図５（ｂ）に示す変形例において、金、銀、チタンまたは炭素などを含む中間層１８は各色料層１６の間にそれぞれ挟み込み必要はなく、何れかの色料層１６と色料層との間に中間層１８を一層のみ設けるようにしてもよい。同様に、図５（ｃ）に示す変形例において、金、銀、チタンまたは炭素などを含む中間層１８は各色料層１６，１６’，１６’’，１６’’’の間にそれぞれ挟み込み必要はなく、例えば、色料層１６’と色料層１６’’との間に中間層１８を一層のみ設けるようにしてもよい。
（５）第５の変形例
上記した実施の形態においては、エネルギー照射装置２００を外形が長方体状の中空の箱状体により構成したが、これに限られるものではないことは勿論である。例えば、外形が立方体状の中空体や、外形が球状の中空体により構成してもよい。要するに、エネルギー放射装置１０を壁面として用いた空間（密閉された空間であることが好ましい。）を備えた中空体を構成するとともに、その空間内に宇宙エネルギー発生装置を配置すればよい。また、エネルギー照射装置２００の壁面全部をエネルギー放射装置１０により構成してもよいし、エネルギー照射装置２００の壁面の一部のみをエネルギー放射装置１０により構成するようにしてもよい。
（６）第６の変形例
上記した実施の形態においては、エネルギー照射装置２００の内部Ｂに宇宙エネルギー発生装置２１０を１個のみ設けた場合について説明したが、宇宙エネルギー発生装置２１０は単数でも複数でもよい。
（７）第７の変形例
上記した実施の形態においては、エネルギー照射装置２００の上面側に銅板２０６およびアルミニウム板２０８を設けたが、これに限られるものではないことは勿論である。例えば、銅板２０６あるいはアルミニウム板２０８のいずれか一方のみを設けるようにしてもよいし、両方とも設けなくともよい。なお、銅板２０６のみ設けた場合には、銅板２０６の上面側にエネルギー放射装置１０を配置することが好ましく、また、銅板２０６およびアルミニウム板２０８のいずれ設けない場合には、それらに代えてエネルギー放射装置１０を配置することが好ましい。
（８）上記した実施の形態ならびに上記した（１）乃至（７）に示す第１の変形例乃至第７の変形例は、適宜に組み合わせるようにしてもよい。
産業上の利用可能性
本発明は、以上説明したように構成されているので、トルマリンの効能を効率よく、かつ簡便に利用することを可能にしたエネルギー放射装置およびそれを備えたエネルギー照射装置を提供することができるという優れた効果を奏する。
【図面の簡単な説明】
図１は、本発明によるエネルギー放射装置の作用の説明図である。
図２は、光量子エネルギーと電磁波との区分などを示す説明図である。
図３は、本発明によるエネルギー放射装置の作用の説明図である。
図４は、（ａ）は本発明によるエネルギー放射装置の実施の形態の一例の概念構成説明図であり、（ｂ）ならびに（ｃ）は第３の変形例の概念構成説明図である。
図５は、（ａ）、（ｂ）ならびに（ｃ）は第４の変形例の概念構成説明図であり、図５（ａ）は図４（ａ）に対応し、図５（ｂ）は図４（ｂ）に対応し、図５（ｃ）は図４（ｃ）に対応する。
図６は、カラーエネルギーの波長帯と感情・五臓との関係を説明するための図表である。
図７は、特定色・特定腺の影響と光量子エネルギーの波長との関係を示す説明図である。
図８は、カラーエネルギーの認識される経路を示す説明図である。
図９は、光量子エネルギーの対象物への作用を示す説明図である。
図１０は、水分子の水素結合を示す説明図である。
図１１は、水分子のクラスターを示す説明図である。
図１２は、エネルギー放射装置を自動車のエンジンとエアクリーナーとの間の吸気エアーラインに装着した状態を示す説明図である。
図１３は、エネルギー放射装置を吸気エアーラインに装着した自動車の走行実験のレポートである。
図１４は、エネルギー放射装置を吸気エアーラインに装着した自動車の走行実験のレポートである。
図１５は、エネルギー放射装置を吸気エアーラインに装着した自動車の走行実験のレポートである。
図１６は、エネルギー放射装置を吸気エアーラインに装着した自動車の走行実験のレポートである。
図１７は、エネルギー放射装置を吸気エアーラインに装着した自動車の走行実験のレポートである。
図１８は、エネルギー放射装置を吸気エアーラインに装着した自動車の走行実験のレポートである。
図１９は、エネルギー放射装置を自動車のエンジンとエアクリーナーとの間の吸気エアーラインに装着した状態を示す説明図である。
図２０は、カラーエネルギーによる音の調和旋律を示す説明図である。
図２１は、カラーエネルギーの対象物別使用物質効果表を示す図表である。
図２２は、本発明の実施の形態の一例によるエネルギー放射装置を備えたエネルギー照射装置を示し、（ａ）は一部を破断した斜視図であり、（ｂ）は（ａ）のＡ−Ａ線による断面図である。
図２３は、宇宙エネルギー放射装置としての左右対称逆巻コイルの説明図であり、（ａ）は交流を印加する場合を示し、（ｂ）は直流を印加する場合を示す。
図２４は、宇宙エネルギー放射装置としての左右相違逆巻コイルの説明図であり、（ａ）は交流を印加する場合を示し、（ｂ）は直流を印加する場合を示す。
図２５は、宇宙エネルギー放射装置をＮＳ磁石とＳＮ磁石とを反発させるように配置して構成することを示す説明図である。
符号の説明
１０      エネルギー放射装置
１２      基板
１４      特殊鉱石層
１６      色料層
１８      中間層
１００      エンジン
１０２      エアクリーナー
１０４      吸気エアーライン
１０６      反射板
１０８      反射板
２００      エネルギー放射装置を備えたエネルギー照射装置
２０２      底面
２０４      側壁
２０６      銅板
２０８      アルミニウム板
２１０      宇宙エネルギー放射装置
３００      左右対称逆巻コイル
４００      左右相違逆巻コイル
５００      ＮＳ磁石
６００      ＳＮ磁石
Ｅ      カラーエネルギー
【図１】
2003086616.tif 000003
【図２】
2003086616.tif 000004
【図３】
2003086616.tif 000005
【図４】
2003086616.tif 000006
【図５】
2003086616.tif 000007
【図６】
2003086616.tif 000008
【図７】
2003086616.tif 000009
【図８】
2003086616.tif 000010
【図９】
2003086616.tif 000011
【図１０】
2003086616.tif 000012
【図１１】
2003086616.tif 000013
【図１２】
2003086616.tif 000014
【図１３】
2003086616.tif 000015
【図１４】
2003086616.tif 000016
【図１５】
2003086616.tif 000017
【図１６】
2003086616.tif 000018
【図１７】
2003086616.tif 000019
【図１８】
2003086616.tif 000020
【図１９】
2003086616.tif 000021
【図２０】
2003086616.tif 000022
【図２１】
2003086616.tif 000023
【図２２】
2003086616.tif 000024
【図２３】
2003086616.tif 000025
【図２４】
2003086616.tif 000026
【図２５】
2003086616.tif 000027
【国際調査報告】
2003086616.tif 000028
2003086616.tif 000029